(57)【特許請求の範囲】
【請求項１】
ばね組体をその内方に架設したシートバックフレームに、発泡材から成形されて背面部の開放されたパッドを被せてシートバック本体とし、このシートバック本体を略袋状のトリムカバーで被覆することにより形成されるシートのシートバック構造において、
パッド背面の開放された部分内にシートバック本体背部の凹所を規定し、この凹所の底部周縁に係止手段を少なくとも部分的に設けるとともに、形状記憶合金から環状に成形されたワイヤがトリムカバー背面部の裏面に取付けられ、シートバック本体凹所の底部周縁の係止手段にトリムカバー背面部の環状ワイヤを係止させることにより、対応形状の凹部をシートバック背面に形成したことを特徴とするシートのシートバック構造。
【請求項２】
パッド背面に設けた凹み、または、シートバックフレームをパッドの背面を覆う硬質樹脂のシェルフレームとし、シェルフレームに形成された開口のいずれかによって、シートバック本体背部の凹所が規定された請求項１記載のシートのシートバック構造。
【請求項３】
パッド背面に設けた凹みによって、シートバック本体背部の凹所が規定され、
シートバックフレームは、アッパーフレーム、ロアフレーム、左右のサイドフレームからなる略矩形形状とされ、
係止手段が、シートバックフレームのアッパーフレーム、ロアフレーム、左右のサイドフレームのそれぞれの長手方向に設けられた上下左右の係止片からなる請求項１記載のシートのシートバック構造。
【請求項４】
パッド背面に設けた凹み、または、シートバックフレームをパッドの背面を覆う硬質樹脂のシェルフレームとし、シェルフレームに形成された開口のいずれかによって、シートバック本体背部の凹所が規定され、
樹脂板からなるパネル状の支持パネルが、引張ばねによってシートバックフレームに懸架されて面状ばねを形成し、
係止手段が、支持パネルの上下左右の縁をトリムカバー裏面のワイヤの係止可能なフック形状に湾曲した係止片からなる請求項１記載のシートのシートバック構造。
【請求項５】
シートバックフレームをパッドの背面を覆う硬質樹脂のシェルフレームとし、シェルフレームに形成された開口によって、シートバック本体背部の凹所が規定され、
係止手段が、開口を規定するシェルフレームの上下左右の縁部をトリムカバー裏面のワイヤの係止可能なフック形状に湾曲した係止片からなる請求項１記載のシートのシートバック構造。
【発明の詳細な説明】
【技術分野】
【０００１】
本発明は、シートバックの背面に凹部の形成されたシートのシートバック構造に関する。
【背景技術】
【０００２】
車両用シートなどのシートは、シートクッションと、シートクッション後端にその下端が連結されたシートバックとを有してなり、通常、シートバックはリクライニング装置のもとで傾動可能に設けられている。
シートクッション、シートバックは、いずれも、略矩形形状のフレーム(シートクッションフレーム、シートバックフレーム)にＳばねなどのばね組体（シートスプリングアッセンブリー）を架設し、発泡材から成形されたパッド(シートパッド)をばね組体で保持し、これら全体をトリムカバー（表皮）で被覆して構成されている。
【０００３】
シートバックの背面に凹部を設けた構成が知られており、特開２０１０−０９４３２３号公報記載のように、シートバック背面の凹部は、後部シートの着座者の膝（ニー）を収納するためのニースペースとして利用される。
ここで、シートバック背面をトリムカバーで覆う構成における、シートバック背面に凹部を形成する手法として、たとえば、特開２００９−０２２５３４号公報記載のように、Ｃリングなどによる吊り込みが考えられる。
【先行技術文献】
【特許文献】
【０００４】
【特許文献１】特開２０１０−０９４３２３号公報
【特許文献２】特開２００９−０２２５３４号公報
【発明の概要】
【発明が解決しようとする課題】
【０００５】
Ｃリングなどでトリムカバーを固定してシートバック背面に凹部を形成する構成では、Ｃリングなどによる吊り込みは直線的なものに限られ、凹部の形状や深さが限定されて、意匠性に優れた凹部が形成できない。また、Ｃリングなどの吊り込みが煩雑で作業効率が悪く、トリムカバーを迅速に固定できず、凹部が容易に形成できない。
【０００６】
本発明は、シートバック背面に意匠性に優れた凹部を高い作業効率のもとで形成できるシートのシートバック構造の提供を目的としている。
【課題を解決するための手段】
【０００７】
請求項１に係る本発明によれば、ばね組体をその内方に架設したシートバックフレームに、発泡材から成形されて背面部の開放されたパッドを被せてシートバック本体とし、このシートバック本体を略袋状のトリムカバーで被覆することにより形成されるシートのシートバック構造において、パッド背面の開放された部分内にシートバック本体背部の凹所を規定し、この凹所の底部周縁に係止手段を少なくとも部分的に設けるとともに、形状記憶合金から環状に成形されたワイヤがトリムカバー背面部の裏面に取付けられ、シートバック本体凹所の底部周縁の係止手段にトリムカバー背面部の環状ワイヤを係止させることにより、対応形状の凹部をシートバック背面に形成する構成となっている。
【発明の効果】
【０００８】
請求項１に係る本発明では、トリムカバー裏面の環状のワイヤを係止手段に係止するだけで所望の凹部がシートバックの背面に形成され、高い作業効率のもとで凹部がシートバックの背面に形成できる。また、シートバック背面の凹部の深さがシートバック本体背部の凹所の深さ方向での係止手段の位置に応じて、凹部の形状が凹所の形状に応じてそれぞれ変更され、意匠性に優れた凹部が形成できる。
【図面の簡単な説明】
【０００９】
【図１】本発明の一実施例に係るシートバック構造を有するシートの概略背面斜視図を示す。
【図２】シートバック本体の概略背面斜視図を示す。
【図３】図１の線Ａ−Ａに沿ったシートの横断面図を示す。
【図４】シートバック背面でのトリムカバーの一部破断図を示す。
【図５】（Ａ）（Ｂ）は係止片へのワイヤの係止前および係止後における図２の線Ｃ−Ｃに沿ったシートバック本体背部にトリムカバーを加えた一部破断の縦断面図であり、係止片へのワイヤの係止の前後の状態を模式的に示す。
【図６】別実施例（実施例２）に係るシートバック構造を持つシートの図２に対応するシートバック本体の概略背面斜視図を示す。
【図７】別実施例に係るシートバック構造を持つシートの図３に対応する横断面図を示す。
【図８】他実施例（実施例３）に係るシートバック構造を持つシートの図２に対応するシートバック本体の概略斜視図を示す。
【図９】他実施例に係るシートバック構造を持つシートの図３に対応する横断面図を示す。
【発明を実施するための形態】
【００１０】
パッド背面の開放された部分内にシートバック本体背部の凹所が規定され、この凹所の底部周縁に係止手段が少なくとも部分的に設けられる。たとえば、係止手段は、シートバックフレームのアッパーフレーム、ロアフレーム、左右のサイドフレームのそれぞれの長手方向に設けられた上下左右の係止片から構成される。形状記憶合金から環状に成形されたワイヤがトリムカバー背面部の裏面に縫合によって取付けられ、シートバック本体凹所の底部周縁の係止手段にトリムカバー背面部の環状ワイヤを係止させることにより、対応形状の凹部をシートバック背面に形成している。
【実施例】
【００１１】
以下、図面を参照しながら本発明の実施例を詳細に説明する。図１は本発明の一実施例に係るシートバック構造を有するシートの概略背面斜視図、図２はシートバック本体の概略背面斜視図、図３は図１の線Ａ−Ａに沿ったシートの横断面図をそれぞれ示す。
【００１２】
図１に示すように、シート１０は、シートクッション１２と、リクライニング装置(図示しない)によって傾動可能にシートクッションの後端に設けられたシートバック１４とを有した車両用シートとされ、ヘッドレスト１４ｈがシートバック上面に設けられている。
車両用シートのシートクッション１２、シートバック１４の基本的な構造は周知であり、シートバックについてその構成を簡単に述べると、図２、図３に示すように、骨格となる略矩形形状のシートバックフレーム（フレーム)１４ｆ１の内方にばね組体１４ｆ２を架設し、ウレタンフォームなどの発泡成形材からなるシートパッド(パッド)１４ｐをばね組体に被せてシートバック本体１５としている。そして、略袋状のトリムカバー(表皮)１４ｃでシートバック本体１５を被覆してシートバック１４が形成されている。
たとえば、フレーム（シートバックフレーム）１４ｆ１は、左右のサイドフレーム１４ｆ１ｓの上端をアッパーフレーム１４ｆ１ｕで、下端をロアフレーム１４ｆ１ｗでそれぞれ連結した略矩形形状とされる。
【００１３】
トリムカバー１４ｃは、たとえば、ポリ塩化ビニール（ＰＶＣ）、ポリエステルなどからなる数枚のトリムカバー片をその縫い代が内側になるように略袋状に縫製し、シートバック１４においてはヘッドレスト１４ｈの取付け前に上方からシートバック本体１５に被せて装着される。
【００１４】
パッド１４ｐはその背面部が開放され、実施例では、パッド背面の開放された部分に凹み１４ｐ’を設けてシートバック本体背部の凹所１５’を規定し、パッド背面の凹みそのものがシートバック本体背部の凹所となっている。そして、トリムカバー１４ｃがシートバック本体背部の凹所１５’（パッド背面の凹み１４ｐ’）の底部まで引き下げられて被覆されることによって凹所の形状に対応した凹部１４ａがシートバックの背面に形成される。通常、シートバック本体背部の凹所１５’（パッド背面の凹み１４ｐ’）は略矩形形状とされ、シートバック背面の凹部１４ａも対応した略矩形形状に形成される。
シートバック背面の略矩形形状の凹部１４ａは、後部シートの着座者の膝（ニー）を収納するためのニースペースとしたり、凹部の下半部を網掛けして収納ポケットなどとして利用される。
【００１５】
本発明では、トリムカバーの裏面に形状記憶合金からなる環状のワイヤ１６を縫合などによって取付けるとともに、ワイヤの係止可能な係止手段１８を、シートバック本体背部の凹所１５’（パッド背面の凹み１４ｐ’）の底部周縁に設け、係止手段にワイヤを係止させてシートバック背面に凹部１４ａを形成する構成となっている。
【００１６】
すなわち、ワイヤ１６はシートバック本体背部の凹所１５’に対応した略矩形形状の環状とされ、係止のためにワイヤに力を加えて長手方向と直交する方向にワイヤが変形しても、力を除くと元の環状に復帰する特性の形状記憶合金から成形されており、その素材としてばね鋼を例示できる。
図４はシートバックの背面でのトリムカバーの一部破断図を示し、形状記憶合金からなる環状のワイヤ１６は、図４に示すように、トリムカバー１４cの裏側に縫合されている。実施例では、ワイヤ１６の全長に沿ってワイヤをトリムカバー裏面に縫合せず、縫合する部分の間に縫合しない部分（非縫合部）を設けており、特にその隅部（辺と辺との交差部）を非縫合部としたため、隅部におけるトリムカバーのしわの発生が防止できる。
【００１７】
シートバック本体背部の凹所１５’の底部周縁に設けられる係止手段１８は、ワイヤ１６が上下左右からそれぞれ係止される上下左右の４つの係止片を持ち、上および左右の係止片となる係止ワイヤ１８ａｕ、１８ａｓ１、１８ａｓ２がシートバック本体背部の凹所１５’の上および左右の三方向に設けられるとともに、ロアフレーム１４ｆ１ｗが下方での係止片１８ａｗとなっている。
すなわち、上および左右の係止片（係止ワイヤ）１８ａｕ、１８ａｓ１、１８ａｓ２は、いずれも、コ字形状の鋼線からなり、その脚部がサイドフレーム１４ｆ１ｓに固定され、その中間部がシートバック本体背部の凹所１５’の底部周縁で凹みの内側に延出し、中間部の先端はシートバック本体背部の凹所の奥側(シートバックの前方側)にフック形状に湾曲している。ここで、上の係止片（係止ワイヤ）１８ａｕは、左右のサイドフレーム１４ｆ１ｓ間に架設した状態で設けられている。
また、下の係止片１８ａｗとなるロアフレーム１４ｆ１ｗは、その上縁がシートバック本体背部の凹所１５’の底部周縁で凹所の内側に延出し、その先端は凹所の奥側にフック形状に湾曲している。
【００１８】
図５（Ａ）（Ｂ）は係止手段へのワイヤの係止前および係止後における図２の線Ｃ−Ｃに沿ったシートバック本体にトリムカバーを加えた一部破断の縦断面図であり、係止片へのワイヤの係止の前後の状態を模式的に示す。
【００１９】
パッド１４ｐに被覆された時点では、図５（Ａ）からわかるように、トリムカバー裏面の環状のワイヤ１６はパッド背面の凹み１４ｐ’（シートバック本体背部の凹所１５’）の縁部（へり）１４ｐ１に沿ってその上方に位置する(図５（Ａ）（Ｂ）では上下反転して下方に位置している)。それから、トリムカバー１４ｃをシートバック本体背部の凹所１５’（パッド背面の凹み１４ｐ’）の奥側に引き込みながらワイヤ１６を凹所に押し込んで凹所の底部周縁の係止手段１８に係止すると、凹みの縁部１４ｐ１とワイヤとによってをシートバック本体背部の凹所に段差が得られる。そして、ワイヤ１６をシートバック本体背部の凹所の底部周縁の係止手段１８（４つの係止片１８ａｕ、１８ａｗ、１８ａｓ１、１８ａｓ２、）にそれぞれ係止すると、段差によってシートバック本体背部の凹所１５’の略矩形形状に対応した略矩形形状の凹部１４ａがシートバックの背面に形成される（図１、図５（Ｂ）参照）。
【００２０】
トリムカバー裏面の環状のワイヤ１６を係止手段１８に係止する操作に格別の困難はなく、パッド背面の凹み１４ｐ’によって規定されるシートバック本体背部の凹所１５’の形状に対応した凹部１４ａが、高い作業効率のもとでシートバックの背面に形成できる。
【００２１】
ここで、トリムカバー１４ｃは、シートバック本体背部の凹所１５’の奥側に引き込まれ、上下左右の４つの係止片（係止手段１８）へのワイヤ１６の係止が行える。さらに、係止手段１８を構成する上下左右の係止片にワイヤ１６を係止するときワイヤが変形しても、係止のために加える力を除けば、元の環状形状に復帰する特性の形状記憶合金からワイヤが成形されているため、略矩形形状の凹部１４ａに型崩れが生じることもない。
【００２２】
シートバック背面の凹部１４ａの深さは、シートバック本体背部の凹所１５’の深さや凹所の底部周縁における係止手段１８の位置を変えることによって変更できる。また、シートバック本体背部の凹所１５’が略矩形形状でなく、たとえば縦長の楕円形状であれば、対応する縦長の楕円形状を原形とする環状に形状記憶合金からワイヤ１６を成形することによって、縦長の楕円形状の凹部がシートバック背面に形成され、凹部の形状を変更できる。
このようにシートバック本体背部の凹所１５’の深さや形状が制約されることなく自由に変更できるため、意匠性に優れた凹部１４ａがシートバック背面に形成できる。
パッド背面に設けた凹み１４ｐ’によってシートバック本体背部の凹所１５’を規定してパッド背面の凹みそのものをシートバック本体背部の凹所とすれば、パッド背面の凹みの形状の変更に対応して、シートバック背面の凹部の形状を変更できる。
【００２３】
実施例では、図３に示すように、アッパーフレーム１４ｆ１ｕ、サイドフレーム１４ｆ１ｓとは別体の上および左右の３つの係止ワイヤをサイドフレームに固定して上および左右の係止片とするとともに、ロアフレーム１４ｆ１ｗの先端をフック形状に湾曲してロアフレームそのものを下の係止片としている。しかしながら、係止手段１８の構成はこれに限定されない。
たとえば、ロアフレーム１４ｆ１ｗと同様に、左右のサイドフレームの先端をフック形状に湾曲して左右のサイドフレームそのものを左右の係止片とし、上の係止片のみを左右のサイドフレーム間に架設した係止ワイヤの形態としてもよい。また、図２に想像線で示すように、左右のサイドフレームの上端を直線状に連結させた形状にアッパーフレームを形成し、このアッパーフレームの先端をフック形状に湾曲させて上の係止片としてもよい。
【００２４】
係止手段１８は、シートバック本体背部の凹所１５’の底部周縁で凹所の全周に連続的に設けてもよい。しかしながら、実施例に示すように、シートバック本体背部の凹所１５’の底部周縁の前後左右に分離して設けるなど、ワイヤを係止可能に凹所の底部周縁に沿って少なくとも部分的に設ければ足りる。
【００２５】
図６、図７は別実施例（実施例２）に係るシートバックの構造を持つシートにおける図２に対応するシートバック本体の概略斜視図、及び図３に対応するシートの横断面図をそれぞれ示す。
この実施例２では、係止手段が面状ばね（ばね組体）に設けられている点で上記の実施例１と相違し、実施例１の構成部材と同じ機能を有する実施例２の対応する構成部材には同じ参照番号を付してその説明を省略し、実施例１と異なる構成について主として説明する。なお、実施例１と同様に、実施例２においても、パッド背面の凹み１４ｐ’によってシートバック本体背部の凹所１５’が規定され、パッド背面の凹みそのものがシートバック本体背部の凹所となっている。
【００２６】
図６、図７に示すように、樹脂板からなる支持パネルが引張ばね２０によって左右のサイドフレーム１４ｆ１ｓ間に懸架されて面状ばね（ばね組体）１１４ｆ２を形成している。そして、支持パネル（面状ばね）１１４ｆ２の上下左右の縁がシートバック本体背部の凹所１５’の底部周縁で略Ｌ字形状に凹所の内側に延出し、その先端が凹所の開口から離反する方向（奥側、シートバックの前方側）にフック形状に湾曲されて、上下左右の係止片１１８ｕ、１１８ｗ、１１８ｓ１、１１８ｓ２が支持パネルと一体に成形されている。そして、上下左右の係止片１１８ｕ、１１８ｗ、１１８ｓ１、１１８ｓ２から係止手段１１８が形成され、この実施例においても、パッド背面の開放された部分内に規定されたシートバック本体背部の凹所１５’の底部周縁に、係止手段が設けられている。
【００２７】
支持パネル（面状ばね）１１４ｆ２の縁の上下左右に設けた係止片１１８ｕ〜１１８ｓ２から係止手段１１８を構成したこの実施例２においても、実施例１と同様の効果が得られる。すなわち、トリムカバー裏面のワイヤ１６をシートバック本体背部の凹所１５’の底部周縁の係止手段１１８（上下左右の係止片１１８ｕ〜１１８ｓ２）に係止することによって、シートバック本体背部の凹所１５’の形状に対応した凹部１４ａが高い作業効率のもとでシートバックの背面に形成できる。また、シートバック本体背部の凹所１５’の深さや、凹所の形状およびそれに対応した形状に支持パネル（面状ばね）１１４ｆ２を変更することによって、シートバック背面の凹部１４ａの形状を変更でき、意匠性に優れた凹部が得られる。
【００２８】
さらに、係止片がその上下左右に設けられる支持パネル１１４ｆ２が樹脂から成形されているため、支持パネルの上下左右に形成した係止片からなる係止手段１１８を一体成形で容易に得られるという効果もある。
【００２９】
図８、図９は他実施例（実施例３）に係るシートバック構造を持つシートにおける図２に対応するシートバック本体の概略斜視図、及び図３に対応する横断面図をそれぞれ示す。
この実施例３では、シートバックの背面でパッドを覆うフレーム（シートバックフレーム）２１４ｆ１に開口を設けてシートバック本体背部の凹所１５’を規定するとともに、係止手段をシェルフレームに設けた点で実施例１と相違し、実施例１の構成部材と同じ機能を有する実施例３の対応する構成部材には同じ参照番号を付してその説明を省略し、実施例１と異なる構成について主として説明する。
【００３０】
すなわち、図８に示すように、フレーム（シートバックフレーム）２１４ｆ１は、シートバックの背面でパッドを覆うシェルフレームの形態とされ、シェルフレームはたとえば硬質樹脂から成形されている。シェルフレーム２１４ｆ１は開口２１４ｆ１ａを持ち、図９に示すように、開口を規定するその縁部２１４ｆ１ａ’は開口から離反する方向（奥側）にフック形状に湾曲され、そのフック形状の先端を係止片２１８ａとしている。係止片２１８ａは開口の底部で開口の全周に形成され、環状の係止片から係止手段２１８が構成されている。
【００３１】
この実施例３においても、トリムカバー裏面に縫合されたワイヤ１６を環状の係止片２１８ａ(係止手段２１８)に係止させれば、シェルフレームの開口の形状、つまりは、シートバック本体背部の凹所１５’の形状に対応した形状の凹部１４ａがシートバック背面に形成される。
そして、シェルフレームの開口２１４ｆ１ａの形状に対応した凹部１４ａが高い作業効率のもとでシートバックの背面に形成できるとともに、縁部のフック形状の先端の位置、開口の形状を変更することによって、意匠性に優れた凹部１４ａが得られる。
【００３２】
特に、フレームをシートバックの背面でパッドを覆うシェルフレーム２１４ｆ１の形態とした実施例３では、開口の形状、縁部のフック形状の先端の位置の異なるシェルフレームに交換するだけで形状、深さの異なる凹部１４ａが得られるという効果もある。
【００３３】
上記のように、本発明によれば、トリムカバー裏面のワイヤ１６をシートバック本体背部の凹所１５’の底部周縁の係止手段１８、１１８、２１８に係止するだけでシートバック背面に凹部１４ａが形成できる。
【００３４】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００３５】
本発明は、シートバック本体背部に凹所の規定されたシートバックを持つシートに広範囲に応用でき、自動車などの車両用シートのシートだけでなく、たとえば、電車、飛行機等のシートはもちろん、映画館、劇場、コンサート会場などの車両用シート以外のシートにも応用できる。
【符号の説明】
【００３６】
１０      車両用シート
１２      シートクッション
１４      シートバック
１４ａ    シートバック背面の凹部
１４ｃ    トリムカバー
１４ｐ    シートパッド（パッド）
１４ｐ’  パッド背面の凹み
１５      シートバック本体
１５’    シートバック本体背部の凹所
１６      ワイヤ
１８、１１８、２１８  係止手段
【図１】
0005760241.tif 000002
【図２】
0005760241.tif 000003
【図３】
0005760241.tif 000004
【図４】
0005760241.tif 000005
【図５】
0005760241.tif 000006
【図６】
0005760241.tif 000007
【図７】
0005760241.tif 000008
【図８】
0005760241.tif 000009
【図９】
0005760241.tif 000010